(57)【要約】【課題】床面上に設置されるベース２と、このベース２上に上向きに突出する状態で設けられる支持筒部４と、上方に手摺部（３ｃ〜３ｆ）が設けられかつ支持筒部４に下端部分が挿入される柱（３ａ，３ｂ）とを備える手摺スタンド１の支持筒部４の外側に装着されて人体衝突時の衝撃を減衰するカバー１０において、比較的簡単に着脱可能とする。【解決手段】カバー１０は、支持筒部４の外側に合致して嵌め合わされるような筒状の弾性体とされる。【選択図】図１
2014233545.tif 000002
【特許請求の範囲】
【請求項１】
床面上に設置されるベースと、このベース上に上向きに突出する状態で設けられる支持筒部と、上方に手摺部が設けられかつ前記支持筒部に下端部分が挿入される柱とを備える手摺スタンドの前記支持筒部の外側に装着されて人体衝突時の衝撃を減衰するカバーであって、
前記支持筒部の外側に合致して嵌め合わされるような筒状の弾性体とされる、ことを特徴とする手摺スタンド用のカバー。
【請求項２】
前記手摺スタンドの前記支持筒部に、当該支持筒部に挿入される前記柱の外周に当接するように止めねじが突き抜ける状態で取り付けられている場合には、
前記止めねじの着脱操作を許容するための開放許容部が設けられている、ことを特徴とする請求項1に記載の手摺スタンド用のカバー。
【請求項３】
前記手摺スタンドの前記支持筒部には、ねじ孔が上下方向所定間隔おきに多数設けられていて、このいずれか１つのねじ孔には前記支持筒部を横切るように挿入されることによって前記柱の底部を受け止める高さ調整ねじが螺合装着されている場合には、
前記開放許容部は、前記すべてのねじ孔が存在する領域に跨るような大きさに設定される、ことを特徴とする請求項２に記載の手摺スタンド用のカバー。
【請求項４】
前記開放許容部はスリットとされる、ことを特徴とする請求項２または３に記載の手摺スタンド用のカバー。
【請求項５】
床面上に設置されるベースと、このベース上に上向きに突出する状態で設けられる支持筒部と、上方に手摺部が設けられかつ前記支持筒部に下端部分が挿入される柱とを備え、
前記支持筒部の外側には、請求項１から４のいずれか１項に記載のカバーが装着されている、ことを特徴とする手摺スタンド。
【発明の詳細な説明】
【技術分野】
【０００１】
この発明は、主に介護、福祉の分野で使用される手摺スタンド用のカバー、ならびに手摺スタンドに関する。
【背景技術】
【０００２】
例えば高齢者などが日常生活において自力で立ち上がる際あるいはリハビリテーションなどを行う際にバランスを保つように補助可能とするとともに、足腰の負担を軽減可能とするために、手摺スタンドが用いられている。
【０００３】
特許文献１に示されている起き上がり用補助具は、ほぼ平行な直線部を形成したフレームの前記対向直線部間に、継手を介して横桟を所要高さ間隔で連結した本体と、ほぼ中央に直線部の下端を支承する受部をほぼ垂直に立設したベースとから構成されている。
【先行技術文献】
【特許文献】
【０００４】
【特許文献１】実用新案登録第３０３４５３６号公報
【発明の概要】
【発明が解決しようとする課題】
【０００５】
上記従来例の起き上がり用補助具は、その受部が所定の強度を有する硬質な部材（例えば金属または合成樹脂など）で形成される関係より、万一、人体の足先が前記受部に衝突してしまうようなことがあると、甚だしい場合には痛い思いをするおそれがある。
【０００６】
ちなみに、本願出願人は、前記受部の外側にクッションシートを巻き付けることを考えたが、その場合には巻き付けた状態で固定するための留め部材が必要になる他、前記巻き付け作業が面倒であることを知見した。
【０００７】
具体的に、例えば特開２００３−１２９５８８号公報に示されているように、建具や家具の脚などに装着する保護カバーがある。この保護カバーは、円筒形とされ、その円周方向の１ヶ所が切断されている。その切断ヶ所を弾性力に抗して広げることにより前記脚などにあてがうと、その弾性復元力で巻き付くようになる。
【０００８】
但し、この保護カバーは、脱着を容易とするものであるために、前記脚から比較的簡単に離脱することを防止するための留め部材（例えば実開昭５８−９１８２号公報参照）を設ける必要があり、コストが嵩むことが懸念される。ここに改良の余地がある。
【０００９】
このような事情に鑑み、本発明は、手摺スタンドの前記支持筒部の外側に装着されて人体衝突時の衝撃を減衰するカバーにおいて、比較的簡単に着脱可能とすることを目的としている。
【００１０】
また、本発明は、万一の衝突時に人体に負担をかけることを軽減可能とする手摺スタンドの提供を目的としている。
【課題を解決するための手段】
【００１１】
本発明は、床面上に設置されるベースと、このベース上に上向きに突出する状態で設けられる支持筒部と、上方に手摺部が設けられかつ前記支持筒部に下端部分が挿入される柱とを備える手摺スタンドの前記支持筒部の外側に装着されて人体衝突時の衝撃を減衰するカバーであって、前記支持筒部の外側に合致して嵌め合わされるような筒状の弾性体とされる、ことを特徴としている。
【００１２】
このカバーは、前記手摺スタンドの前記支持筒部の外側に装着すれば、万一、人体の足先が前記カバーに衝突したとしても、当該足先への衝撃を減衰することが可能になる。これにより、人が痛い思いをすることを抑制または回避することが可能になる。
【００１３】
このカバーは、当該カバーが装着されていない手摺スタンドに対して後付することが可能になるとともに、当該後付作業を従来例で説明したようなクッションシートを巻き付ける場合に比べて簡単に行うことが可能になるとともに、装着後においては特別な留め部材を用いなくとも脱落せずに済むようになる。
【００１４】
ところで、前記手摺スタンドの前記支持筒部に、当該支持筒部に挿入される前記柱の外周に当接するように止めねじが突き抜ける状態で取り付けられている場合には、前記カバーは前記止めねじの着脱操作を許容するための開放許容部が設けられるものとすることができる。
【００１５】
なお、前記開放許容部とは、外力を加えることによって開口が形成されるようなものである。この場合、手摺スタンドにカバーを装着した状態では、カバーで支持筒部の外側を覆うから、止めねじを隠蔽することが可能になる。これにより、子供などが止めねじを不用意に触ることを回避できるようになる。しかも、手摺スタンドにカバーを装着した状態であっても、前記止めねじの着脱時において前記カバーの開放許容部を開放すれば、前記止めねじを露呈することが可能になるから、当該開放許容部から工具を差し入れて前記止めねじの着脱操作を行うことが可能になる。
【００１６】
ところで、前記手摺スタンドの前記支持筒部に、ねじ孔が上下方向所定間隔おきに多数設けられていて、このいずれか１つのねじ孔には前記支持筒部を横切るように挿入されることによって前記柱の底部を受け止める高さ調整ねじが螺合装着されている場合には、前記カバーの前記開放許容部は、前記すべてのねじ孔が存在する領域に跨るような大きさに設定されるものとすることができる。
【００１７】
この場合、手摺スタンドにカバーを装着した状態では、カバーで支持筒部の外側を覆うから、高さ調整ねじを装着していないねじ孔を隠蔽することが可能になる。これにより、前記ねじ孔に化粧蓋を装着する必要がなくなるなど、コスト低減を図るうえで有利になる他、子供などが高さ調整ねじを不用意に触ることを回避できるようになる。
【００１８】
しかも、手摺スタンドにカバーを装着した状態であっても、このカバーの開放許容部を開放すれば、前記高さ調整ねじを露呈することが可能になるから、当該開放許容部から工具を差し入れて高さ調整ねじの着脱操作を行うことが可能になる。
【００１９】
好ましくは、前記カバーの前記開放許容部は、スリットとされる。
【００２０】
このようにカバーの開放許容部をスリットにした場合には、前記支持筒部のねじ孔などを外部から確実に隠蔽できるようになる。これにより、前記ねじ孔に化粧蓋を装着する必要がなくなるなど、コスト低減を図るうえで有利になる他、子供などが不用意に触ることを回避できるようになる。また、前記ねじ孔に化粧蓋を装着しなくても、手摺スタンドの外観の意匠性を高めることが可能になる。
【００２１】
また、本発明に係る手摺スタンドは、床面上に設置されるベースと、このベース上に上向きに突出する状態で設けられる支持筒部と、上方に手摺部が設けられかつ前記支持筒部に下端部分が挿入される柱とを備え、前記支持筒部の外側には、前記した構成のカバーが装着されている、ことを特徴としている。
【００２２】
このような構成の手摺スタンドでは、前記支持筒部を前記弾性体からなるカバーで覆うようにしているから、万一、人体の足先が前記カバーに衝突したとしても、当該足先への衝撃を減衰することが可能になる。これにより、人が痛い思いをすることを抑制または回避することが可能になる。このように、人にやさしい手摺スタンドを提供できるようになる。
【００２３】
また、本発明に係る手摺スタンドにカバーを装着した状態であっても、前記止めねじの着脱時において前記カバーの開放許容部を開放すれば、当該開放許容部から工具を差し入れて前記止めねじの着脱操作を行うことが可能になる。これにより、組立や分解を比較的簡単に行える手摺スタンドを提供できるようになる。
【００２４】
しかも、前記カバーを筒状として前記支持筒部の外側に嵌め合せるだけで装着可能とする部材にしているから、当該装着作業を従来例で説明したようなクッションシートを巻き付ける場合に比べて簡単に行うことが可能になる他、装着後においては特別な留め部材を用いなくとも脱落せずに済むようになる。これにより、カバーの製造コストの上昇を抑制することが可能になるから、手摺スタンドの低コスト化を図るうえで有利になる。
【発明の効果】
【００２５】
本発明に係るカバーは、手摺スタンドの前記支持筒部の外側に装着されて人体衝突時の衝撃を減衰するものであって、手摺スタンドの支持筒部に比較的簡単に着脱することが可能になる。
【００２６】
また、本発明に係る手摺スタンドは、床面上に設置されるベースと、このベース上に上向きに突出する状態で設けられる支持筒部と、上方に手摺部が設けられかつ前記支持筒部に下端部分が挿入される柱と、前記支持筒部の外側に装着されて人体衝突時の衝撃を減衰するカバーとを備える構成であって、万一、前記柱の下側に人体が衝突したときでも人が痛い思いをすることを抑制または回避できるようになる。
【図面の簡単な説明】
【００２７】
【図１】本発明に係る手摺スタンドの一実施形態を示す斜視図である。
【図２】図１の手摺スタンドを分解した斜視図である。
【図３】図１の支持筒部を断面にして示す図である。
【図４】図３において支持筒部から止めねじおよび高さ調整ねじを取り外した状態を示す図である。
【図５】図１のカバーを斜め下向きに見た斜視図である。
【図６】図１のカバーを斜め上向きに見た斜視図である。
【図７】本発明に係るカバーの他の実施形態を示す側面図である。
【発明を実施するための形態】
【００２８】
以下、本発明を実施するための最良の実施形態について添付図面を参照して詳細に説明する。
【００２９】
図１から図６に、本発明の一実施形態を示している。図中、１は手摺スタンドの全体を示している。
【００３０】
手摺スタンド１は、ベース２にフレーム３を取り付けた構成になっている。これらを以下で詳細に説明する。
【００３１】
ベース２は、床面上に設置されるもので、矩形の板とされている。ベース２の素材は、金属、またはエンジニアリングプラスチックなどの合成樹脂とされる。
【００３２】
ベース２は、手摺スタンド１の転倒を回避するために、重心が低く床面との接触面積が大きくされるのが好ましい。そこで、ベース２は、その中央付近がわずかに上向きに隆起して周縁に向けて徐々に斜め下がりとなるような形状とされることによって、床面上のすわりを安定化させるようにしている他、ベース２の中央付近を床面から浮かせることによって後述する締結プラグ５の下側への張り出しを許容するためのスペースを確保させるようにしている。
【００３３】
また、ベース２の四隅が丸く形成されているとともに、その外周縁にゴムなどの緩衝材６が取り付けられている。これにより、ベース２が床面上で滑りにくくなる他、床面上で滑らせられたときに床面にすり傷を付けにくくできるようになる。
【００３４】
このベース２には、下記するフレーム３を支持するための支持筒部４が２つ上向きに突出する状態で設けられている。
【００３５】
支持筒部４は、長手方向両端が開放された円筒形の部材とされ、その上側開口からフレーム３の柱３ａ，３ｂの下端部分が挿入されるようになっている。この支持筒部４は、使用時に柱３ａ，３ｂを支持するのに十分な強度と長さとを有する円筒部材とすることが好ましく、その素材としては、例えば金属または合成樹脂（エンジニアリングプラスチックなど）とされる。また、支持筒部４の表面には塗装を施すか、あるいは樹脂製フィルムを貼着することによって錆や傷を防ぐようにすることが可能である。
【００３６】
この支持筒部４をベース２に連結するために、締結プラグ５が用いられている。この締結プラグ５は、支持筒部４の下側開口に合致して挿入される大きさの雄ねじ軸部５ａと、この雄ねじ軸部５ａの下端に設けられる径方向外向きの鍔５ｂとを備えている。鍔５ｂは支持筒部４の内径寸法よりも大きく設定されている。
【００３７】
そして、図３に示すように、締結プラグ５の雄ねじ軸部５ａをベース２に形成されている貫通孔２ａから差し入れて支持筒部４の下端内周面に形成されている雌ねじ４ｃに螺合挿入することによって、ベース２が支持筒部４の下端面と締結プラグ５の径方向外向き鍔５ｂとで挟まれるようになる。これにより、支持筒部４がベース２上に一体に連結されることになる。なお、締結プラグ５の雄ねじ軸部５ａの先端面にゴムなどの弾性材を接着すれば、支持筒部４内に挿入される柱３ａ，３ｂの下端の衝突時における衝撃を減衰、吸収させることが可能である。
【００３８】
フレーム３は、あたかも梯子のような形状とされており、２本の柱３ａ，３ｂに４本の梁３ｃ，３ｄ，３ｅ，３ｆを２個のＬ字形の継手３ｇおよび６個のＴ字形の継手３ｈを用いて取り付ける構成になっている。
【００３９】
２本の柱３ａ，３ｂは、それぞれ鉛直方向または上下方向に沿う棒状部材とされ、平行に所定間隔離された状態で配置されている。４本の梁３ｃ，３ｄ，３ｅ，３ｆは、それぞれ水平方向または左右方向に沿う棒状部材とされ、２本の柱３ａ，３ｂの対向間に上下方向所定間隔おきに互いに平行となるように架け渡されている。
【００４０】
この２本の柱３ａ，３ｂに４本の梁３ｃ，３ｄ，３ｅ，３ｆを連結するために、２個のＬ字形の継手３ｇおよび６個のＴ字形の継手３ｈが用いられている。但し、前記各継手３ｇ，３ｈを用いずに、接着あるいは溶着などとすることが可能である。
【００４１】
前記２本の柱３ａ，３ｂおよび４本の梁３ｃ，３ｄ，３ｅ，３ｆは、使用者が立ち上がる際あるいは伝い歩きする際に掴まれる手摺として利用されるので、人が掴み易い太さで十分な強度を有する円筒部材とすることが好ましい。この２本の柱３ａ，３ｂおよび４本の梁３ｃ，３ｄ，３ｅ，３ｆの素材としては、例えば金属または合成樹脂（エンジニアリングプラスチックなど）とされる。
【００４２】
そして、フレーム３の柱３ａ，３ｂの下側部分を支持筒部４に挿入した状態で柱３ａ，３ｂの抜け出しを防止するために、止めねじ７が用いられるようになっている。この止めねじ７は、支持筒部４の所定位置に上下に離隔して設けられる２つの小径ねじ孔４ａにそれぞれ螺合装着されることによって、支持筒部４に挿入される柱３ａ，３ｂの外周に当接して当該柱３ａ，３ｂの外周面を支持筒部４の内周面に押し付けるように作用する。
【００４３】
また、フレーム３の高さは、適宜に変更することが可能になっている。この高さは、支持筒部４に対するフレーム３の柱３ａ，３ｂの挿入深さを変えることで変更することが可能になっている。
【００４４】
具体的に、図３および図４に示すように、支持筒部４の側面には、その長手方向所定間隔おきに４つの大径ねじ孔４ｂが設けられており、この４つの大径ねじ孔４ｂのいずれか１つに、柱３ａ，３ｂの下端を受け止めるための高さ調整ねじ８を螺合挿入する形態になっている。
【００４５】
つまり、４つの大径ねじ孔４ｂのいずれか１つに対する高さ調整ねじ８の螺合挿入位置を変えれば、支持筒部４内への柱３ａ，３ｂの挿入深さを変化させることが可能になり、それによってフレーム３の各梁３ｃ，３ｄ，３ｅ，３ｆの高さを変更することが可能になるのである。
【００４６】
ちなみに、フレーム３の高さ調整方法を説明する。なお、前記止めねじ７および高さ調整ねじ８は、図示していない六角レンチなどが係合されるように頭部に六角形状の穴（図３および図４参照、符号省略）が設けられたものとされている。
【００４７】
まず、前記止めねじ７を図示していない工具（六角レンチなど）で緩めることにより、フレーム３の各柱３ａ，３ｂを各支持筒部４に対して上下方向に変位可能な状態にしておく。次いで、高さ調整ねじ８を図示していない工具（六角レンチなど）で緩めることにより大径ねじ孔４ｂから抜き出し、フレーム３を目標高さにしておいて、その高さを保持するように、４つの大径ねじ孔４ｂのいずれか１つに高さ調整ねじ８を螺合挿入し、この高さ調整ねじ８上にフレーム３の柱３ａ，３ｂを降ろして載せればよい。
【００４８】
ところで、上述した構成の手摺スタンド１において各柱３ａ，３ｂの下側、例えば支持筒部４の外側には、カバー１０が装着されている。
【００４９】
このカバー１０は、万一、手摺スタンド１の各柱３ａ，３ｂの下側、例えば支持筒部４に使用者が足先を衝突させてしまったとしても、使用者に与える衝撃を減衰させることにより、使用者が痛い思いをすることを抑制または回避可能にするものである。
【００５０】
カバー１０は、弾性体（例えばウレタンゴムなど）を素材とするものであって、例えば円筒形に形成されている。また、この実施形態では、カバー１０の下側部分が下端へ向けて徐々に拡径するようなフレアー形状とされていて、ベース２、フレーム３、支持筒部４などと同色または任意の色にすることが可能である。
【００５１】
そして、カバー１０は、支持筒部４の外側に合致して嵌め合わされるような寸法に設定されているが、装着を容易にするために若干の隙間を持つ状態で嵌め合わされるようになっている。また、カバー１０には、前記した止めねじ７の着脱操作を許容するための開放許容部１１が設けられている。この実施形態では、開放許容部１１が、支持筒部４の２つの小径ねじ孔４ａを露呈可能とするような長さに設定されている。
【００５２】
この開放許容部１１とは、外力を加えることによって開口が形成されるようなものであって、この実施形態ではスリットとされている。このスリットの長手方向一端および他端には円形孔が設けられている。ちなみに、前記した円形孔を設けていない場合には、前記スリットを開放するときに過大な力を加えたときに当該スリットの長手方向一端または他端が引き裂かれるおそれがあるが、前記円形孔を設けていれば前記引き裂きに対する強度を向上することが可能になり、好ましい。
【００５３】
以上説明したように本発明を適用した実施形態の手摺スタンド１は、支持筒部４の外側にカバー１０を装着しているから、万一、人体の足先がカバー１０に衝突したとしても、当該足先への衝撃を減衰することが可能になる。これにより、人が痛い思いをすることを抑制または回避できるようになる。
【００５４】
また、カバー１０は、当該カバー１０が装着されていない手摺スタンド１に対して後付することが可能になるとともに、当該後付作業を従来例で説明したようなクッションシートを巻き付ける場合に比べて簡単に行うことが可能になるとともに、装着後においては特別な留め部材を用いなくとも脱落せずに済むようになる。
【００５５】
さらに、手摺スタンド１にカバー１０を装着した状態では、カバー１０で支持筒部４の外側を覆うから、支持筒部４の２つの小径ねじ孔４ａに螺合装着している２つの止めねじ７と、最上位置の大径ねじ孔４ｂに装着されている１つの高さ調整ねじ８および高さ調整ねじ８を装着していない３つの大径ねじ孔４ｂを隠蔽することが可能になる。これにより、４つの大径ねじ孔４ｂにおいて高さ調整ねじ８が螺合装着されていない３つの大径ねじ孔４ｂに化粧蓋（図示省略）を装着する必要がなくなるなど、コスト低減を図るうえで有利になる他、子供などが止めねじ７や高さ調整ねじ８を不用意に触ることを回避できるようになる。
【００５６】
しかも、手摺スタンド１にカバー１０を装着した状態であっても、このカバー１０の開放許容部１１を開放すれば、２つの小径ねじ孔４ａに螺合装着されている２つの止めねじ７を露呈させることが可能になるから、当該開放許容部１１から工具を差し入れて止めねじ７の着脱操作を行うことが可能になる。
【００５７】
なお、本発明は、上記実施形態のみに限定されるものではなく、特許請求の範囲内および当該範囲と均等の範囲内で適宜に変更することが可能である。
【００５８】
（１）上記実施形態では、手摺スタンド１のフレーム３について２本の柱３ａ，３ｂと４本の梁３ｃ，３ｄ，３ｅ，３ｆを有する例を挙げているが、本発明はこれのみに限定されるものではなく、前記柱（３ａ，３ｂ）や梁（３ｃ，３ｄ，３ｅ，３ｆ）の数は任意である。また、支持筒部４の小径ねじ孔４ａおよび大径ねじ孔４ｂの数についても任意である。
【００５９】
（２）上記実施形態では、カバー１０の開放許容部１１について、支持筒部４の２つの小径ねじ孔４ａを露呈可能とするような長さに設定した例を挙げているが、本発明はこれのみに限定されるものではない。
【００６０】
例えば図示していないが、カバー１０の開放許容部１１については、支持筒部４の２つの小径ねじ孔４ａと４つの大径ねじ孔４ｂとのすべてを露呈可能とするような長さに設定することができる。
【００６１】
この場合には、手摺スタンド１にカバー１０を装着した状態においてカバー１０で支持筒部４の外側を覆うから、２つの小径ねじ孔４ａに螺合装着されている２つの止めねじ７を隠蔽することに加えて、最上位置の大径ねじ孔４ｂに螺合装着されている１つの高さ調整ねじ８および高さ調整ねじ８を装着していない３つの大径ねじ孔４ｂを隠蔽することが可能になる。これにより、高さ調整ねじ８を装着していない３つの大径ねじ孔４ｂに化粧蓋（図示省略）を装着する必要がなくなるなど、コスト低減を図るうえで有利になる他、子供などが止めねじ７や高さ調整ねじ８を不用意に触ることを回避できるようになる。
【００６２】
しかも、手摺スタンド１にカバー１０を装着した状態であっても、このカバー１０の開放許容部１１を開放すれば、２つの小径ねじ孔４ａに螺合装着されている２つの止めねじ７と、最上位置の大径ねじ孔４ｂに螺合装着されている１つの高さ調整ねじ８および高さ調整ねじ８を装着していない３つの大径ねじ孔４ｂとを露呈させることが可能になるから、当該開放許容部１１から工具を差し入れて止めねじ７や高さ調整ねじ８の着脱操作を行うことが可能になる。
【００６３】
（３）上記実施形態では、カバー１０の開放許容部１１について、支持筒部４の２つの小径ねじ孔４ａを露呈可能とするような長さに設定した例を挙げているが、本発明はこれのみに限定されるものではない。
【００６４】
例えば図７に示すように、カバー１０に、２つの別々の開放許容部１１ａ，１１ｂを設けるようにしてもよい。第１、第２開放許容部１１ａ，１１ｂはスリットとされている。第１開放許容部１１ａは、２つの小径ねじ孔４ａのすべてを露呈可能とするような長さとされ、また、第２開放許容部１１ｂは、高さ調整ねじ８の螺合対象となる４つの大径ねじ孔４ｂのすべてを露呈可能とするような長さとされている。この場合、第１、第２開放許容部１１ａ，１１ｂを単一のスリットとする場合に比べて引き裂き強度をさらに高めることが可能になって、カバー１０の耐久性向上に貢献できる。
【産業上の利用可能性】
【００６５】
本発明は、例えば高齢者などが立ち上がる際あるいはリハビリテーションなどを行う際にバランスを保つように補助可能とするとともに、足腰の負担を軽減可能とするための手摺スタンド１に用いるカバー１０に好適に利用できる。また、本発明は、前記カバー１０を装備した手摺スタンド１に好適に利用できる。
【符号の説明】
【００６６】
１      手摺スタンド
２      ベース
３      フレーム
３ａ，３ｂ    フレームの柱
３ｃ〜３ｆ    フレームの梁
４      支持筒部
４ａ    支持筒部の小径ねじ孔
４ｂ    支持筒部の大径ねじ孔
５      締結プラグ
７      止めねじ
８      高さ調整ねじ
１０      カバー
１１      カバーの開放許容部
【図１】
2014233545.tif 000003
【図２】
2014233545.tif 000004
【図３】
2014233545.tif 000005
【図４】
2014233545.tif 000006
【図５】
2014233545.tif 000007
【図６】
2014233545.tif 000008
【図７】
2014233545.tif 000009